(57)【要約】【課題】  引き紐を横方向に引っ張ってもペットを横に引き倒すような回転モーメントが作用するのを低減でき、あるいはペット装着具を回転させるような力が作用するのを低減でき、ペットに優しいペット装着具の引き紐連結構造を提供する。【解決手段】  ペットの胴部回りと首部回りの少なくとも一方に装着される胴輪１などのペット装着具に、ペットの胴部若しくは首部又はそれらの境界部の上部回りに沿って延びる円弧状のガイドバー部１２を設け、このガイドバー部１２に、引き紐１５先端のナスカン１６を連結する引き環１４を移動自在に装着した。【選択図】        図１
2006094836.tif 000002
【特許請求の範囲】
【請求項１】
ペットの胴部回りと首部回りの少なくとも一方に装着されるペット装着具に、ペットの胴部若しくは首部又はそれらの境界部の上部回りに沿って延びる円弧状のガイドバー部を設け、このガイドバー部に、引き紐先端のナスカンを連結する引き環を移動自在に装着したことを特徴とするペット装着具の引き紐連結構造。
【請求項２】
ペット装着具は、ペットの胴部回りと首部回りの両方に装着される胴輪であり、ガイドバー部は胴部と首部の境界部の上部回りに沿って配設されていることを特徴とする請求項１記載のペット装着具の引き紐連結構造。
【発明の詳細な説明】
【技術分野】
【０００１】
本発明は、胴輪や首輪やペット用衣服などのペット装着具の引き紐連結構造に関するものである。
【背景技術】
【０００２】
一般に、ペットを散歩させる際には、引き紐（リードとも呼ばれる）先端のナスカンを、ペットに装着している首輪（カラーとも呼ばれる）や胴輪（ハーネスとも呼ばれる）に設けられている引き環に連結し、引き紐でペットの行動を制御できるようにして散歩させている。
【０００３】
例えば、ペットに装着される従来のハーネス５１においては、図７に示すように、胴回りに巻き付けられる胴部ベルト５２と首回りに巻き付けられる首部ベルト５３が首と胴の境界の上端部に位置するクロス部５４で一つに結合されて構成され、そのクロス部５４のほぼ中央部上に引き環５５が倒伏可能に取付けられたものが知られている。この引き環５５に引き紐５６の先端のナスカン５７を連結することによって引き紐５６でペットＰを制御することが可能となる。また、ナスカン５７は縦軸回りに回転可能に構成されており、ペットＰが色々な方向に動いても引き紐５６がねじれてしまうことはない。図７において、５８は胴部ベルト５２に設けられた着脱用のバックルであり、図示していないが首部ベルト５３にも同様に設けられている。また、胴部ベルト５２及び首部ベルト５３には図示していないが長さ調整機構が設けられている。なお、胴部ベルト５２と首部ベルト５３をクロス部５４で交叉させて８の字状に形成することで一連のベルトにて構成したものもあり、その場合長さ調整機構は 1つだけ設けられる。
【０００４】
また、首輪の場合には、環状に結合及び結合解除可能なベルトの適所に引き環が倒伏可能に取付けられている。
【発明の開示】
【発明が解決しようとする課題】
【０００５】
ところが、図７に示したような構成のハーネス５１を用いると、引き紐５６がほぼ伸びた状態でペットＰがさらに横方向に動こうとした場合や人が引き紐５６を横方向に引っ張った場合には、ペットＰは首と胴の境界の上部箇所が横方向に引っ張られ、横倒しさせられるような回転モーメントが作用し、ペットＰに過大な負荷やストレスを与えることになり、ペットに優しくないという問題がある。
【０００６】
また、上記首輪を用いると、首輪が首回りに容易に回転する場合には、回転モーメントが作用することはないが、その代わり横に引っ張られる度に首輪が回ることによって回転摩擦を繰り返すことになり、首輪回りの毛並みや皮膚にダメージを与え易いという問題がある。
【０００７】
本発明は、上記従来の問題点に鑑み、引き紐を横方向に引っ張ってもペットを横に引き倒すような回転モーメントが作用するのを低減でき、あるいはペット装着具を回転させるような力が作用するのを低減でき、ペットに優しいペット装着具の引き紐連結構造を提供することを課題とする。
【課題を解決するための手段】
【０００８】
本発明のペット装着具の引き紐連結構造は、ペットの胴部回りと首部回りの少なくとも一方に装着されるペット装着具に、ペットの胴部若しくは首部又はそれらの境界部の上部回りに沿って延びる円弧状のガイドバー部を設け、このガイドバー部に、引き紐先端のナスカンを連結する引き環を移動自在に装着したものである。
【０００９】
この構成によると、引き紐先端のナスカンが連結される引き環が、ガイドバー部に沿って胴部若しくは首部又はそれらの境界部の上部で左右方向に移動自在であるため、引き紐を横に引っ張ると、引き環が引っ張られた方向に円滑に移動し、移動した位置で引張力が作用し、そのため引き紐を横方向に引っ張ってもペットを横に引き倒すような回転モーメントが作用するのを低減でき、あるいはペット装着具を回転させるような力が作用するのを低減でき、ペットに優しいペット装着具を提供できる。
【００１０】
また、ペット装着具は、ペットの胴部回りと首部回りの両方に装着される胴輪であり、ガイドバー部は胴部と首部の境界部の上部回りに沿って配設されていると、ペットに対して優しい装着具である胴輪においてさらに横方向に引っ張ったときにも無理なくかつ優しく制御できるので、一層優しいペット装着具を提供することができる。
【発明の効果】
【００１１】
本発明によれば、引き環がガイドバー部に沿って左右方向に移動自在に装着されているので、引き紐を横に引っ張ると引き環が円滑に移動することでペットを横に引き倒すような回転モーメントが作用するのを低減でき、あるいはペット装着具を回転させるような力が作用するのを低減でき、ペットに優しいペット装着具を提供できるという効果が得られる。
【発明を実施するための最良の形態】
【００１２】
以下、本発明のペット装着具の引き紐連結構造の第１の実施形態について、図１〜図３を参照して説明する。
【００１３】
図１、図２において、１はペット装着具の胴輪であり、内部に強度心材を配置した布製で、Ｘ字状に形成された胴輪本体２を備えている。胴輪本体２は、中央部の比較的横幅の広いクロス部３から首部回りに巻き付ける一対の首部ベルト４ａ、４ｂと、胴部回りに巻き付ける一対の胴部ベルト５ａ、５ｂが延出されている。首部ベルト４ａと胴部ベルト５ａの先端部の裏面にフックを密植した面ファスナ６が、首部ベルト４ｂと胴部ベルト５ｂの先端部の表面にループパイルを密植した比較的長い面ファスナ７が取付けられ、首部と胴部にそれぞれ長さ調整して巻き付けることができるように構成されている。
【００１４】
また、首部ベルト４ａと胴部ベルト５ａの基部表面にそれぞれ補助ベルト８、９の基端が固着されている。これら補助ベルト８、９の先端には雄接続具１０が取付けられ、首部ベルト４ｂと胴部ベルト５ｂの基部表面に、雄接続具１０を離脱可能に接続する雌接続具１１が取付けられている。また、補助ベルト８、９にはそれぞれ長さ調整部８ａ、９ａが設けられている。
【００１５】
クロス部３には、図３に拡大して示すように、合成樹脂製の円弧状のガイドバー部１２が横方向に配設され、その両端部がクロス部３の両側端部にリベット（図示せず）等にて固着されている。クロス部３のガイドバー部１２固着部には補強部材１３が装着されて補強されている。このガイドバー部１２に、引き環１４が移動自在に装着され、この引き環１４に、図１に示すように、引き紐１５先端のナスカン１６を連結するように構成されている。
【００１６】
以上の構成の胴輪１によれば、図１に示すように、胴輪本体２のクロス部３をペットＰの首部と胴部の境界部の上部に当て、首部ベルト４ａ、４ｂを首部に巻き付け、面ファスナ６、７にてその先端部同士を結合し、さらに補助ベルト８の長さ調整を行ってその先端の雄接続具１０を雌接続具１１に結合し、また胴部ベルト５ａ、５ｂを胴部に巻き付け、面ファスナ６、７にてその先端部同士を結合し、さらに補助ベルト９の長さ調整を行ってその先端の雄接続具１０を雌接続具１１を結合することによって胴輪１をペットＰに装着することができる。
【００１７】
次に、ガイドバー部１２に装着されている引き環１４に、引き紐１５の先端のナスカン１６を連結することにより、引き紐１５を持ってペットＰを散歩に連れて行くことができる。その散歩中に、ペットＰが横方向移動しようとするのを引き戻すために引き紐１５を横に引っ張ると、引き環１４がガイドバー部１２に沿って左右方向に移動自在であるため、引き環１４が引っ張られた方向に円滑に移動し、移動した位置で胴輪１に引張力が作用することになる。そのため、引き紐１５を横方向に引っ張ってもペットＰを横に引き倒すような回転モーメントが作用するのを低減できる。このように本実施形態の胴輪１によれば、ペットＰに過大な負荷やストレスを与えることがないので、ペットＰに対して優しいものである。
【００１８】
次に、本発明のペット装着具の引き紐連結構造の第２の実施形態について、図４を参照して説明する。
【００１９】
上記第１の実施形態では、胴輪１が布製のＸ字状の胴輪本体２を備えた構成例を示したが、本実施形態の胴輪２１は、比較的横幅の広いクロス部を構成する、隅丸長方形状乃至長円形又は瓢箪形状の合成樹脂製又は革製の支持部材２２と、ペットの首部に巻き付ける首部ベルト２３ａと胴部に巻き付ける胴部ベルト２３ｂを形成するように８の字状に配設されたベルト部材２３にて構成されている。
【００２０】
支持部材２２には、その四隅部にベルト部材２３を通すスリット開口２４ａ〜２４ｄが形成され、ベルト部材２３を対角位置の一方のスリット開口２４ａから下方に通し他方のスリット開口２４ｂから上方に引き出し、また他の対角位置の一方のスリット開口２４ｃから下方に通し他方のスリット開口２４ｄから上方に引き出すことにより、この支持部材２２を介してベルト部材２３が上記のように８の字状に保持されている。ベルト部材２３の両端には、相互に連結する雄接続具２５と雌接続具２６が取付けられ、中間部に長さ調整部２７が設けられている。
【００２１】
支持部材２２には、合成樹脂製の円弧状のガイドバー部２８が横方向に配設され、その両端部が支持部材２２の両側端部にリベット（図示せず）等にて固着されている。支持部材２２のガイドバー部２８固着部には補強部材２９を装着して補強されている。そして、このガイドバー部２８に、引き環１４が移動自在に装着されている。
【００２２】
以上の構成の本実施形態の胴輪２１においても、胴輪としての具体構成が異なるだけで、クロス部である支持部材２２に円弧状のガイドバー部２８を設けて引き環１４を移動自在に装着しているので、上記実施形態と同様の作用効果を奏することできる。
【００２３】
次に、本発明のペット装着具の引き紐連結構造の第３の実施形態について、図５を参照して説明する。
【００２４】
上記第１の実施形態では、ペット装着具が、クロス部３と首部ベルト４ａと胴部ベルト４ｂを有する胴輪１である例を示したが、本実施形態はペット装着具がペットＰに装着させるペット用衣服３１から成る例である。本実施形態においても、そのペット用衣服３１の首部と胴部の境界部上に、合成樹脂製の円弧状のガイドバー部３２が横方向に配設され、その両端部がリベット（図示せず）等にて固着され、かつガイドバー部３２固着部には補強部材３３が装着されて補強されている。そして、このガイドバー部２８に、引き環１４が移動自在に装着されている。
【００２５】
本実施形態のペット用衣服３１においても、円弧状のガイドバー部３２を設けて引き環１４を移動自在に装着しているので、上記実施形態と同様の作用効果を奏することできる。
【００２６】
次に、本発明のペット装着具の引き紐連結構造の第４の実施形態について、図６を参照して説明する。
【００２７】
上記第１の実施形態では、ペット装着具が胴輪１から成る場合について示したが、本実施形態はペット装着具がペットの首に装着する首輪４１から成る例である。本実施形態では、首輪４１外周上に間隔をあけて合成樹脂製の円弧状のガイドバー部４２が配設されるとともに、その両端部を首輪に固着されている。そして、このガイドバー部４２に、引き環１４が移動自在に装着されている。
【００２８】
本実施形態の首輪４１においては、円弧状のガイドバー部４２を設けて引き環１４を移動自在に装着しているので、引き紐を横に引っ張ると、引き環１４が引っ張られた方向に円滑に移動し、移動した位置で引張力が作用するので、首輪４１を回転させるような力が作用するのを低減でき、ペットに優しいペット装着具を提供できる。
【産業上の利用可能性】
【００２９】
本発明のペット装着具の引き紐連結構造は、ペットの胴部若しくは首部又はそれらの境界部の上部回りに沿って延びる円弧状のガイドバー部を設け、このガイドバー部に引き環を移動自在に装着しているため、引き環に連結した引き紐を横方向に引っ張ってもペットを横に引き倒すような回転モーメントが作用するのを低減でき、あるいはペット装着具を回転させるような力が作用するのを低減することができ、ペットに優しいペット装着具に有用である。
【図面の簡単な説明】
【００３０】
【図１】本発明のペット装着具の引き紐連結構造を適用した第１の実施形態の胴輪の使用状態の斜視図である。
【図２】同実施形態の胴輪の平面図である。
【図３】同実施形態の胴輪の要部の平面図である。
【図４】本発明のペット装着具の引き紐連結構造を適用した第２の実施形態の胴輪の斜視図である。
【図５】本発明のペット装着具の引き紐連結構造を適用した第３の実施形態のペット用衣服の使用状態の斜視図である。
【図６】本発明のペット装着具の引き紐連結構造を適用した第４の実施形態の首輪の斜視図である。
【図７】従来例の胴輪の使用状態の側面図である。
【符号の説明】
【００３１】
１  胴輪（ペット装着具）
３  クロス部
１２  ガイドバー部
１４  引き環
１５  引き紐
１６  ナスカン
２１  胴輪（ペット装着具）
２２  支持部材（クロス部）
２８  ガイドバー部
３１  ペット用衣服（ペット装着具）
３２  ガイドバー部
４１  首輪（ペット装着具）
４２  ガイドバー部
【図１】
2006094836.tif 000003
【図２】
2006094836.tif 000004
【図３】
2006094836.tif 000005
【図４】
2006094836.tif 000006
【図５】
2006094836.tif 000007
【図６】
2006094836.tif 000008
【図７】
2006094836.tif 000009